(57)【要約】【課題】  構造が簡単で洗浄が容易であり、かつ既存の洋式便器２０に簡単に装着できる排尿飛散防止手段１０，３０を提供すること。【解決手段】便座２２を便器本体２１に倒伏すると、使用位置にある便座２２の下面にモール１０の舌片１０ｂが弾力的に当接し、便器本体２１の上端面開口２１ａの前側縁部と便座２２の下面の間の隙間が塞がれ、排尿が隙間から便器本体２１の外部へ飛散するのを防ぐことができる。モール１０は軟質プラスチック成型品であるので、装着時に、便器本体２１の上端面開口２１ａの前側縁部の形状に合わせて撓めることができ、また逆溝状凹部１０ａの幅を便器本体２１の上端面開口２１ａの前側縁部の幅に応じて拡開若しくは縮小させることができる。モール１０は便器本体２１の上端面開口２１ａの前側縁部に着脱可能に装着できるので、便器本体２１から取り外して汚れを洗浄できる。【選択図】図１
0003177132.tif 000002
【実用新案登録請求の範囲】
【請求項１】
便器本体と、便器本体の上端面開口の周縁部に倒伏する使用位置及び周縁部から上方へ離間した非使用位置との間で上下方向に回動可能に便器本体に組み付けた便座と、使用位置にある便座に倒伏して便器本体の上端面開口を覆蓋する開閉蓋を備えた洋式便器に装着する排尿飛散防止用モールであって、
軟質プラスチックでモールを成型するとともに、モールの内面を便器本体の上端面開口の前側縁部に着脱可能に嵌め込むことのできる逆溝状凹部に形成し、逆溝状凹部を便器本体の上端面開口の前側縁部に装着したとき、逆溝状凹部を区画形成する一対の側面が軟質プラスチックの弾力で前記前側縁部に圧接し、かつ使用位置にある便座の下面がモール本体の外面に当接して便器本体の上端面開口の前側縁部と便座の下面の間の隙間を塞ぐようにしたことを特徴とする排尿飛散防止用モール。
【請求項２】
前記モール本体の外面に前記逆溝状凹部に沿って延びる舌片を一体成形し、使用位置にある便座の下面に舌片が圧接して前記隙間を塞ぐようにしたことを特徴とする請求項１に記載の排尿飛散防止用モール。
【考案の詳細な説明】
【技術分野】
【０００１】
本考案は洋式便器に装着して使用する排尿飛散防止用モールに関する。
【背景技術】
【０００２】
一般に洋式便器は、便器本体と、便器本体の上端面開口の周縁部に倒伏する使用位置及び周縁部から上方へ離間した非使用位置との間で上下方向に回動可能に便器本体に組み付けた便座と、使用位置にある便座に倒伏して便器本体の上端面開口を覆蓋する開閉蓋を備えている。
【０００３】
この種の洋式便器では、便座を使用位置にセットするとき、便座が直接、便器本体の上端面開口の周縁部に衝当して衝撃音が発生するのを防止し、また便座や便器本体が破損するのを防止するため、使用位置で便器本体の上端面開口の周縁部に当たるクッション材を便座の裏面に取り付けている。そのため、便器本体の上端面開口の周縁部と使用位置にある便座との間にクッション材によって隙間が生じているので、着座して用をたすとき排尿がその隙間から便器本体の外に飛散して漏れることがある。
【０００４】
実用新案登録第３１５０４６３号に記載の考案では、排尿飛散防止手段として、板状の部材を便座の裏面に接着剤で固定している。
実用新案登録第３１６００５５号に記載の考案では、洋式便器における排尿飛散防止手段として、断面がＴ字形の板状部材を吸盤で便器本体の上端面開口に固定している。
また、特開２００８−２９１６２７号に記載の考案では、便器本体の先端部に半球状の空洞部を形成し、該空洞部によって排尿飛散を防止している。
【先行技術文献】
【特許文献】
【０００５】
【特許文献１】実用新案登録第３１６００５５号公報
【特許文献２】実用新案登録第３１５０４６３号公報
【特許文献３】特開２００８−２９１６２７号公報
【考案の概要】
【考案が解決しようとする課題】
【０００６】
板状の部材を便座の裏面に接着剤で固定する排尿飛散防止手段は、板状部材が汚れたとき便座から取り外すことが出来ないので、洗浄がし難い。
板状部材を吸盤で取り付ける排尿飛散防止手段は、汚れたとき便器本体から取り外して洗浄できるものの、板状部材と複数個の吸盤の２部材で構成されているため汚れを除去するのに手間がかかる。また、製造コストが高くなる。さらにまた、便器本体の表面は平滑なため、吸盤がずれて取付け位置がずれ易い。
便器本体の先端部に半球状の空洞部を形成する排尿飛散防止手段は既存の洋式便器に適用することが出来ない。
本考案はかかる問題点に鑑み、構造が簡単で洗浄が容易であり、かつ既存の洋式便器に簡単に装着できる排尿飛散防止手段を提供することを目的とする。
【課題を解決するための手段】
【０００７】
請求項１に記載の考案は、便器本体と、便器本体の上端面開口の周縁部に倒伏する使用位置及び周縁部から上方へ離間した非使用位置との間で上下方向に回動可能に便器本体に組み付けた便座と、使用位置にある便座に倒伏して便器本体の上端面開口を覆蓋する開閉蓋を備えた洋式便器に装着する排尿飛散防止用モールであって、
軟質プラスチックでモールを成型するとともに、モールの内面を便器本体の上端面開口の前側縁部に着脱可能に嵌め込むことのできる逆溝状凹部に形成し、逆溝状凹部を便器本体の上端面開口の前側縁部に装着したとき、逆溝状凹部を区画形成する一対の側面が軟質プラスチックの弾力で前記前側縁部に圧接し、かつ使用位置にある便座の下面がモール本体の外面に当接して便器本体の上端面開口の前側縁部と便座の下面の間の隙間を塞ぐようにしたことを特徴とする。
【０００８】
請求項２に記載の考案は、請求項１に記載の排尿飛散防止用モールにおいて、前記モール本体の外面に前記逆溝状凹部に沿って延びる舌片を一体成形し、使用位置にある便座の下面に舌片が圧接して前記隙間を塞ぐようにしたことを特徴とする。
【考案の効果】
【０００９】
請求項１に記載の考案に係る排尿飛散防止用モールは便器本体の上端面開口の前側縁部に着脱可能に装着できるので、便器本体から取り外して汚れを洗浄できる。
モールは軟質プラスチック成型品であり、内面を逆溝状凹部に形成しただけの極めて簡単な構成であるので、低コストで製造できる。
また、モールは軟質プラスチック成型品であるので、装着時に、便器本体の上端面開口の前側縁部の形状に合わせて撓めることができ、また逆溝状凹部の幅を洋式便器本体の上端面開口の前側縁部の幅に応じて拡開若しくは縮小させることができる。そのため、形状、寸法の違う既存の洋式便器にも簡単に装着できる。
【００１０】
請求項２に記載の考案によれば、モールの外面に舌片を形成したので、便器本体の上端面開口の前側縁部と便座の下面の間の隙間の寸法が製品によって異なっていても舌片の撓み寸法の違いによって製品の寸法の違いを吸収でき、隙間を確実に塞ぐことができる。
【図面の簡単な説明】
【００１１】
【図１】本考案の第１実施例に係る排尿飛散防止用モールを装着した洋式便器を示す斜視図である。
【図２】図１の２−２線から切断した断面図である。
【図３】本考案の第１実施例に係る排尿飛散防止用モールを装着した洋式便器を示す斜視図である。
【図４】図３の４−４線から切断した断面図である。
【図５】本考案の第２実施例に係る排尿飛散防止用モールを装着した洋式便器を示す斜視図である。
【図６】本考案の第２実施例に係る排尿飛散防止用モール及び同モールを装着した便器本体を示す断面図である。
【実施例１】
【００１２】
以下に本考案を図面に基づき説明する。図１には本考案の第１実施例に係る排尿飛散防止用モール１０を装着した洋式便器２０が示されている。当該洋式便器２０は、陶磁器製の便器本体２１、便器本体２１の後端部に上下方向に回動可能に組み付けた硬質プラスチック製の便座２２、及び便器本体２１の後端部に上下方向に回動可能に組み付けた硬質プラスチック製の開閉蓋２３を備えている。
【００１３】
便座２２は使用するとき便器本体２１の上端面開口２１ａの周縁部２１ｂに倒伏させることができる。また、非使用位置では使用位置から周縁部２１ｂの上方へ離間させることができる。便座２２の裏面には複数個の硬質ゴム製クッション材２４，２５，２６，２７が左右２個ずつ対を成すように配置して固定されている。使用に際し、便座２２を便器本体２１の上端面開口２１ａの周縁部２１ｂに倒伏させると、クッション材２４，２５，２６，２７が便器本体２１の上端面開口２１ａの周縁部２１ｂに当接し、便座本体２２は周縁部２１ｂに当接しないので、便座２２が便器本体２１に衝当するのを防止できる。開閉蓋２３は使用位置にある便座２２に倒伏させることにより便器本体２１の上端面開口２１ａを覆蓋できる。
【００１４】
排尿飛散防止用モール１０は便器本体の上端面開口２１ａの前側縁部に装着されている。このモール１０はプラスチックゴムのような軟質プラスチックの成型品であり、図２に示すように内面が逆溝状凹部１０ａに形成され、モール１０の長手方向に沿って延びている。また、モール１０の外面には逆溝状凹部１０ａに沿って舌片１０ｂが一体に形成されている。この舌片１０ｂはモール１０の外面から外側へ突出している。モール１０は便座２２を便器本体２１の上端面開口２１ａの周縁部２１ｂに倒伏したとき、便座２２の裏面の前側に固定した２個のクッション材２６，２７の間に収まるようにその長さ寸法が設定されている。
【００１５】
本実施例に係る排尿飛散防止用モール１０の構造は以上の通りであって、図３に示すように便座２２を便器本体２１に倒伏すると、図４に示すように、使用位置にある便座２２の下面にモール１０の舌片１０ｂが弾力的に当接するので、便器本体２１の上端面開口２１ａの前側縁部と便座２２の下面の間の隙間が塞がれ、排尿が隙間から便器本体２１の外部へ飛散するのを防ぐことができる。
【００１６】
モール１０は軟質プラスチック成型品であるので、装着時に、便器本体２１の上端面開口２１ａの前側縁部の形状に合わせて撓めることができ、また逆溝状凹部１０ａの幅を便器本体２１の上端面開口２１ａの前側縁部の幅に応じて拡開若しくは縮小させることができる。そのため、形状、寸法の違う既存の洋式便器２０にも簡単に装着できる。
【００１７】
モール１０は便器本体２１の上端面開口２１ａの前側縁部に着脱可能に装着できるので、便器本体２１から取り外して汚れを洗浄できる。また、モール１０は内面を逆溝状凹部１０ａに形成し、外面に舌片１０ｂを形成しただけ極めて簡単な構成の軟質プラスチック成型品であるので、低コストで製造できる。
【００１８】
さらにまた、モール１０の外面に舌片１０ｂを形成したので、便器本体２１の上端面開口２１ａの前側縁部と便座２２の下面の間の隙間の寸法が製品によって異なっていても、舌片１０ｂの撓み寸法の違いによって製品の寸法の違いを吸収でき、隙間を確実に塞ぐことができる。
【実施例２】
【００１９】
図５及び図６に本考案の第２実施例に係る排尿飛散防止用モール３０を示す。当該モール３０の内面は逆溝状凹部３０ａに形成されている。一方、モール３０の外面に舌片が形成されていないが、モール３０の上部３０ｂが所要の厚みに形成されているので、便座２２を便器本体２１に倒伏すると、図６に示すように、使用位置にある便座２２の下面にモール３０の上部３０ｂの外面が弾力的に当接し、便器本体２１の上端面開口２１ａの前側縁部と便座２２の下面の間の隙間が塞がれる。
なお、第２実施例に係るモールの他の構成は第１実施例に係るモールと同じである。
【符号の説明】
【００２０】
１０，３０…排尿飛散防止用モール
１０ａ，３０ａ…逆溝状凹部
１０ｂ…舌片
２０…洋式便器
２１…便器本体
２１ａ…上端面開口
２１ｂ…周縁部
２２…便座
２３…開閉蓋
【図１】
0003177132.tif 000003
【図２】
0003177132.tif 000004
【図３】
0003177132.tif 000005
【図４】
0003177132.tif 000006
【図５】
0003177132.tif 000007
【図６】
0003177132.tif 000008